(57)【特許請求の範囲】
【請求項１】
端末装置によるイメージ表示方法であって、
ウェブページを前記端末装置の画面に表示するステップ、
前記表示されたウェブページに対するユーザのスクロール入力を受信するステップ、及び
前記ユーザの前記スクロール入力に応じて、前記ウェブページと共に移動する前記ウェブページの所定領域に位置する立体オブジェクトを回転させながら、前記立体オブジェクトの第１面に表示された第１イメージを、前記立体オブジェクトの第２面に表示された第２イメージに変更するステップ、を含むことを特徴とするイメージ表示方法。
【請求項２】
前記ユーザのスクロール入力は、
前記画面に対するタッチ入力、マウスを用いた入力又はキーボードを用いた入力を含むことを特徴とする、請求項１に記載のイメージ表示方法。
【請求項３】
端末装置によるイメージ表示方法であって、
ウェブページを前記端末装置の画面に表示するステップ、
前記表示されたウェブページに対するユーザのスクロール入力を受信するステップ、及び
前記ユーザの前記スクロール入力に応じて前記ウェブページを移動させながら、前記ウェブページと共に移動する前記ウェブページの所定領域に表示された第１イメージを第２イメージに変更するステップ、を含み、
前記第１イメージを第２イメージに変更するステップは、
前記スクロール入力に応じて前記ウェブページを移動させながら、前記第１イメージを第２イメージに漸次的に変更するステップを含み、
前記第１イメージを前記第２イメージに漸次的に変更するステップは、
前記第１イメージを前記所定領域の一側方向に沿って漸次的に縮小させ、前記第２イメージを前記所定領域の他側方向から前記一側方向に沿って漸次的に拡大させるステップを含むことを特徴とするイメージ表示方法。
【請求項４】
前記第１イメージを第２イメージに変更するステップは、
前記ウェブページの前記所定領域が前記画面の第１領域内に位置するとき、前記第１イメージを表示し、前記所定領域が前記画面の第２領域内に位置するとき、前記第１イメージの代わりに第２イメージを表示するステップを含むことを特徴とする、請求項１に記載のイメージ表示方法。
【請求項５】
前記第１イメージと前記第２イメージは、
前記端末装置に格納されたイメージを含むことを特徴とする、請求項１に記載のイメージ表示方法。
【請求項６】
前記第１イメージと第２イメージは、
広告主の広告イメージを含むことを特徴とする、請求項１に記載のイメージ表示方法。
【請求項７】
当該イメージ表示方法は、
前記第１イメージがユーザによって選択されたことを示す情報及び前記第２イメージがユーザによって選択されたことを示す情報をウェブサーバに伝送するステップを更に含むことを特徴とする、請求項６に記載のイメージ表示方法。
【請求項８】
ハードウェアに請求項１〜７のいずれか１項に記載のイメージ表示方法を実行させるコンピュータプログラム。
【請求項９】
ウェブページを画面に表示するディスプレイ、
前記表示されたウェブページに対するユーザのスクロール入力を受信するユーザ入力部、及び
前記ユーザのスクロール入力に応じて、前記ウェブページと共に移動する前記ウェブページの所定領域に位置する立体オブジェクトを回転させながら、前記立体オブジェクトの第１面に表示された第１イメージを、前記立体オブジェクトの第２面に表示された第２イメージに変更する制御部、を含むことを特徴とする端末装置。
【請求項１０】
ウェブサーバによるウェブページ提供方法であって、
端末装置からウェブページについての要求を受信するステップ、及び
前記端末装置の要求に応じて前記ウェブページを前記端末装置に提供するステップ、を含み、
前記ウェブページを前記端末装置に提供するステップは、
前記ウェブページが前記端末装置の画面に表示された状態で、前記ウェブページに対するユーザのスクロール入力が受信されると、該スクロール入力に応じて、前記ウェブページと共に移動する前記ウェブページの所定領域に位置する立体オブジェクトを回転させながら、前記立体オブジェクトの第１面に表示された第１イメージを、前記立体オブジェクトの第２面に表示された第２イメージに変更するように前記端末装置を制御することを特徴とするウェブページ提供方法。
【請求項１１】
当該ウェブページ提供方法は、
種々の端末装置から、前記第１イメージがユーザによって選択されたことを示す情報及び前記第２イメージがユーザによって選択されたことを示す情報を受信するステップ、及び
前記第１イメージがユーザによって選択された回数及び前記第２イメージがユーザによって選択された回数に基づいて、前記第１イメージ及び前記第２イメージの広告主に対する課金額を決定するステップを更に含むことを特徴とする、請求項１０に記載のウェブページ提供方法。
【請求項１２】
ハードウェアに請求項１０又は１１に記載のウェブページ提供方法を実行させるコンピュータプログラム。
【発明の詳細な説明】
【技術分野】
【０００１】
本発明は、端末装置及びこれによるイメージ表示方法、並びにウェブサーバ及びこれによるウェブページ提供方法に関する。
【背景技術】
【０００２】
モバイル端末及びモバイル端末を介したネットワークへの接続が活発になることにより、ウェブサーバを運営する会社は、ユーザ端末へ伝送されるウェブページを通じてユーザに様々なサービスを提供している。例えばポータルサイト会社はユーザに天気、辞書、公演、旅行、映画などの様々な情報を提供しており、ユーザはいつでもウェブページを通じて特定情報を検索して、容易で簡便に自身が望む情報を得ることができる。
【０００３】
しかし、ウェブサーバ会社はいずれも類似したプラットフォームのウェブページを利用するため、ウェブページに含まれる情報やコンテンツに対するユーザの注意力を引き難いという問題点がある。特に、ウェブページに広告イメージを含ませるとしてもユーザの関心を得るのが難しいため、ウェブサーバ会社の広告収益性は向上し難い。したがって、ユーザの注意力を引くことができる効果的なコンテンツの提供方法が求められる。関連の先行技術文献としては特許文献１（韓国公開特許１０−２００１−００２６０４７号）がある。
【先行技術文献】
【特許文献】
【０００４】
【特許文献１】韓国公開特許１０−２００１−００２６０４７号明細書
【発明の概要】
【発明が解決しようとする課題】
【０００５】
本発明の一実施形態による端末装置及びこれによるイメージ表示方法、並びにウェブサーバ及びこれによるウェブページ提供方法は、ユーザの注意力を効果的に引くことができる方式でコンテンツをユーザに提供することを目的とする。
【０００６】
また、本発明の一実施形態による端末装置及びこれによるイメージ表示方法、並びにウェブサーバ及びこれによるウェブページ提供方法は、ユーザの注意力を集めることができるＵＩ（ｕｓｅｒ  ｉｎｔｅｒｆａｃｅ）を利用してユーザにコンテンツを提供することを目的とする。
【０００７】
なお、本発明の一実施形態による端末装置及びこれによるイメージ表示方法、並びにウェブサーバ及びこれによるウェブページ提供方法は、限られた面積のウェブページ内に数多くのコンテンツを含ませることを目的とする。
【０００８】
さらに、本発明の一実施形態による端末装置及びこれによるイメージ表示方法、並びにウェブサーバ及びこれによるウェブページ提供方法は、ウェブサーバ会社の広告収益性を向上させることを目的とする。
【課題を解決するための手段】
【０００９】
本発明の一側面によるイメージ表示方法は、
端末装置によるイメージ表示方法であって、ウェブページを画面に表示するステップ、前記表示されたウェブページに対するユーザのスクロール入力を受信するステップ、及び前記ユーザのスクロール入力に応じて前記ウェブページを移動させながら、前記ウェブページと共に移動する前記ウェブページの所定領域に表示された第１イメージを第２イメージに変更するステップを含む。
【００１０】
本発明の他の側面による端末装置は、
ウェブページを画面に表示するディスプレイ、前記表示されたウェブページに対するユーザのスクロール入力を受信するユーザ入力部、及び前記ユーザのスクロール入力に応じて前記ウェブページを移動させながら、前記ウェブページと共に移動する前記ウェブページの所定領域に表示された第１イメージを第２イメージに変更する制御部を含む。
【００１１】
本発明の一側面によるウェブページ提供方法は、
ウェブサーバによるウェブページ提供方法であって、端末装置からウェブページについての要求を受信するステップ、及び前記端末装置の要求に応じて前記ウェブページを前記端末装置に提供するステップを含み、前記ウェブページは、前記ウェブページが前記端末装置の画面に表示された状態で、前記ウェブページに対するユーザのスクロール入力が受信されると、スクロール入力に応じて前記ウェブページを移動させながら、前記ウェブページと共に移動する前記ウェブページの所定領域に表示された第１イメージを第２イメージに変更するように前記端末装置を制御する。
【発明の効果】
【００１２】
本発明の一実施形態による端末装置及びこれによるイメージ表示方法、並びにウェブサーバ及びこれによるウェブページ提供方法は、ユーザの注意力を効果的に引くことができる方式でコンテンツをユーザに提供することができる。
【００１３】
また、本発明の一実施形態による端末装置及びこれによるイメージ表示方法、並びにウェブサーバ及びこれによるウェブページ提供方法は、ユーザの注意力を集めることができるＵＩ（ｕｓｅｒ  ｉｎｔｅｒｆａｃｅ）を利用してユーザにコンテンツを提供することができる。
【００１４】
なお、本発明の一実施形態による端末装置及びこれによるイメージ表示方法、並びにウェブサーバ及びこれによるウェブページ提供方法は、限られた面積のウェブページ内に数多くのコンテンツを含ませることができる。
【００１５】
さらに、本発明の一実施形態による端末装置及びこれによるイメージ表示方法、並びにウェブサーバ及びこれによるウェブページ提供方法は、ウェブサーバ会社の広告収益性を向上させることができる。
【図面の簡単な説明】
【００１６】
【図１】本発明の一実施形態による端末装置とウェブサーバを示す図である。
【図２】本発明の一実施形態によるイメージ表示方法を示すフローチャートである。
【図３】（ａ）及び（ｂ）はユーザのスクロール入力を説明するための例示的な図である。
【図４】（ａ）〜（ｃ）は本発明に係るイメージ表示方法を説明するための例示的な図である。
【図５】（ａ）〜（ｃ）は本発明に係るイメージ表示方法を説明するための例示的な図である。
【図６】端末装置の画面に対して設定された複数の領域を示す図である。
【図７】本発明の一実施形態による端末装置の構成を示すブロック図である。
【図８】本発明の他の実施形態によるウェブページ提供方法を示すフローチャートである。
【図９】本発明のまた他の実施形態によるウェブサーバの構成を示すブロック図である。
【発明を実施するための形態】
【００１７】
本発明の一側面によるイメージ表示方法は、
端末装置によるイメージ表示方法であって、ウェブページを画面に表示するステップ、表示されたウェブページに対するユーザのスクロール入力を受信するステップ、及びユーザのスクロール入力に応じてウェブページを移動させながら、ウェブページと共に移動するウェブページの所定領域に表示された第１イメージを第２イメージに変更するステップを含むことができる。
【００１８】
本発明は、様々な変形を加えてもよく、種々の実施形態を有しても良いところ、特定の実施形態を図面に例示し、それを詳細な説明を通じて詳しく説明することにする。しかし、これは、本発明を特定の実施形態に対して限定しようとするものではなく、本発明は、本発明の思想及び技術範囲に含まれる全ての変更、均等物又は代替物を含むものとして理解しなければならない。
【００１９】
本発明を説明するにおいて、関連の公知技術に関する具体的な説明が本発明の要旨を不必要に曖昧にする恐れがあると判断される場合にはその詳細な説明は省略する。また、本明細書の説明過程で用いられる数字（例えば第１、第２等）は、１つの構成要素を他の構成要素と区分するための識別記号に過ぎない。
【００２０】
また、本明細書において、一構成要素が他の構成要素と「連結される」又は「接続される」と言及されるとき、一構成要素が他の構成要素と直接連結されるか又は直接接続されてもよいが、特に反対の記載がない限り、その間に他の構成要素を介して連結又は接続されてもよいことを理解しなければならない。
【００２１】
なお、本明細書において、「〜部（ユニット）」、「モジュール」等で表現される構成要素は、２つ以上の構成要素が１つの構成要素に統合されるか、あるいは、１つの構成要素がより細分化された機能別に２つ以上に分割されてもよい。また、以下で説明する構成要素の各々は、自身が担当する主な機能の他にも他の構成要素が担当する機能のうちの一部又は全部の機能を更に行ってもよく、構成要素の各々が担当する主な機能のうちの一部の機能が他の構成要素によって行われてもよいことは勿論である。
【００２２】
図１は、本発明の一実施形態による端末装置１１０とウェブサーバ１３０を示す図である。図１に示すように、端末装置１１０とウェブサーバ１３０はネットワーク１０を介して接続される。ネットワーク１０は、有線ネットワークと無線ネットワークを含み、具体的には、ローカルエリア・ネットワーク（ＬＡＮ：Ｌｏｃａｌ  Ａｒｅａ  Ｎｅｔｗｏｒｋ）、メトロポリタン・エリア・ネットワーク（ＭＡＮ：Ｍｅｔｒｏｐｏｌｉｔａｎ  Ａｒｅａ  Ｎｅｔｗｏｒｋ）、広域ネットワーク（ＷＡＮ：Ｗｉｄｅ  Ａｒｅａ  Ｎｅｔｗｏｒｋ）等の様々なネットワークを含むことができる。また、ネットワーク１０は、公知のワールド・ワイド・ウェブ（ＷＷＷ：Ｗｏｒｌｄ  Ｗｉｄｅ  Ｗｅｂ）を含むこともできる。しかし、本発明に係るネットワーク１０は、上記で列挙されたネットワークに限定されず、公知の無線データネットワークや公知の電話ネットワーク、公知の有線／無線テレビネットワークを少なくとも部分的に含むこともできる。
【００２３】
端末装置１１０は、ウェブサーバ１３０にウェブページを要求し、ウェブブラウザ等の所定のアプリケーションを通じて、ウェブサーバ１３０から伝送されるウェブページを実行する。端末装置１１０は、ユーザによって入力されたウェブサーバ１３０のアドレスに基づいて、ウェブサーバ１３０からウェブページを受信することができる。
【００２４】
図１は、端末装置１１０としてスマートフォンを図示しているが、本発明の一実施形態による端末装置１１０は、スマートフォンだけでなく、所定のアプリケーションを利用してウェブページを実行できるデスクトップコンピュータ、ノートブックコンピュータ、ＰＤＡ、ウェブパッド、タブレットＰＣ等の様々な端末装置１１０を含むことができる。
【００２５】
ウェブサーバ１３０は、ウェブページについての端末装置１１０の要求を受け取ると、端末装置１１０にウェブページを伝送する。
【００２６】
本発明の一実施形態による端末装置１１０は、ウェブページに対するユーザの入力に応じて所定機能を行うことができ、それについては図２を参照して説明する。
【００２７】
図２は、本発明の一実施形態によるイメージ表示方法を示すフローチャートである。
【００２８】
Ｓ２１０ステップにおいて、端末装置１１０は、ウェブページを画面に表示する。端末装置１１０は、ウェブページをウェブサーバ１３０から受信し、所定のアプリケーションを通じてウェブページを端末装置１１０の画面に表示することができる。所定のアプリケーションは、ウェブブラウザの機能を実行できるアプリケーションを含む。
【００２９】
Ｓ２２０ステップにおいて、端末装置１１０は、表示されたウェブページに対するユーザのスクロール入力を受信する。ユーザのスクロール入力は、画面に対するタッチ入力、マウスを用いた入力又はキーボードを用いた入力を含むことができる。
【００３０】
図３の（ａ）及び（ｂ）はユーザ２０のスクロール入力を示す図であり、図３の（ａ）に示すように、ユーザ２０は、ウェブページ３１０を上方向に移動させるために、ウェブページ３１０をタッチした後、上方向（Ａ）にドラッグし、図３の（ｂ）に示すように、ウェブページ３１０を下方向に移動させるために、ウェブページ３１０をタッチした後、下方向（Ｂ）にドラッグすることもできる。
【００３１】
再び図２を参照すれば、Ｓ２３０ステップにおいて、端末装置１１０は、ユーザのスクロール入力に応じてウェブページを移動させながら、ウェブページと共に移動するウェブページの所定領域に表示された第１イメージを第２イメージに変更する。端末装置１１０は、ウェブページが移動することによって、所定領域に表示された第１イメージを第２イメージに漸次的に変更することができる。ユーザの一方向へのスクロール入力に応じて所定領域に表示された第１イメージが第２イメージに変更された後、当該一方向の反対方向へのスクロール入力が受信された場合、端末装置１１０は、ウェブページを移動させながら第２イメージを第１イメージに変更することもできる。
【００３２】
第１イメージ及び第２イメージは、停止イメージ、動画イメージ及びアニメーションイメージのうち少なくとも１つを含むことができる。また、第１イメージ及び第２イメージは、広告主に対するイメージ広告、商品又はサービスに対する購買誘導広告を含む広告イメージを含むことができる。
【００３３】
第１イメージと第２イメージはウェブサーバ１３０から伝送されるウェブページに含まれていてもよく、実施形態によっては、第１イメージと第２イメージは端末装置１１０に格納されているイメージであってもよい。第１イメージと第２イメージが端末装置１１０に格納されているイメージである場合、端末装置１１０は、ウェブページを画面に表示し、端末装置１１０に格納されているイメージのうちのいずれか１つのイメージをウェブページの所定領域に表示し、スクロール入力に応じてウェブページを移動させて、そのイメージを他のイメージに変更することができる。
【００３４】
第１イメージが第２イメージに変更される過程については図４及び図５を参照して詳細に説明する。
【００３５】
本発明の一実施形態による端末装置１１０は、ユーザのスクロール入力に応じてウェブページを移動させながら、ウェブページと共に移動する所定領域に表示されるイメージが変化するため、該イメージに対するユーザの注意力を向上させることができる。また、限られた面積のウェブページにおいて１つの領域内に複数のイメージを表示することができるため、従来に比べてより多くのコンテンツをウェブページに含ませることができ、１つの領域を複数の広告主のための広告領域として活用することもできる。
【００３６】
図４の（ａ）〜（ｃ）は、本発明に係るイメージ表示方法を説明するための例示的な図である。
【００３７】
まず、図４の（ａ）に示すように、端末装置１１０は、所定領域４００内に第１イメージ４１０が表示されたウェブページ３１０を画面に表示する。ウェブページ３１０の所定領域４００は立体オブジェクト４００を含むことができる。すなわち、図４の（ｂ）に示すように、端末装置１１０は、ユーザ２０のスクロール入力に応じてウェブページ３１０を一方向、例えば上方向に移動させながら、立体オブジェクト４００を回転させることができる。立体オブジェクト４００の第１面には第１イメージ４１０が表示され、第２面には第２イメージ４２０が表示されており、立体オブジェクト４００の回転と共に第１イメージ４１０から第２イメージ４２０に漸次的に変更されることができる。最後に、図４の（ｃ）に示すように、立体オブジェクト４００の第１面から第２面への回転が完了すれば、第１イメージ４１０の代わりに第２イメージ４２０が画面に表示されることができる。実施形態によっては、立体オブジェクト４００は３つ以上の面を含むことができ、各面には各面に対応するイメージが表示され、ウェブページ３１０の移動に応じて立体オブジェクト４００が回転しながら種々のイメージが画面に順次表示されることもできる。
【００３８】
図５の（ａ）〜（ｃ）は、本発明に係るイメージ表示方法を説明するための例示的な図である。図５の（ａ）〜（ｃ）を参照すれば、ウェブページ３１０の所定領域５００は図４の（ａ）〜（ｃ）とは異なり、平面オブジェクト５００であってもよい。平面オブジェクト５００に第１イメージ５１０が表示された状態で（図５の（ａ）参照）、ウェブページ３１０が一方向に移動すれば、第１イメージ５１０は平面オブジェクト５００の一側方向、例えば左側方向に沿って漸次的に縮小され、第２イメージ５２０は他側方向、例えば右側方向から、一側方向、例えば左側方向に沿って漸次的に拡大される（図５の（ｂ）参照）。最終的に、図５の（ｃ）に示すように、平面オブジェクト５００内には、第１イメージ５１０の代わりに第２イメージ５２０が表示されることができる。
【００３９】
実施形態によっては、端末装置１１０は種々のイメージが表示される画面上の領域を予め設定することができ、それについては図６を参照して説明する。
【００４０】
図６は、端末装置１１０の画面に対して設定された複数の領域６００ａ、６００ｂ、６００ｃを示す図である。
【００４１】
前述したように、端末装置１１０は、ウェブページを移動させながら所定領域内に複数のイメージを表示することができる。この際、端末装置１１０は、複数のイメージの各々が表示される画面上の領域６００ａ、６００ｂ、６００ｃを予め設定することができる。図６を参照すれば、所定領域が画面の第１領域６００ａ内に位置する場合、第１イメージを所定領域内に表示し、所定領域が画面の第２領域６００ｂ内に位置する場合、第２イメージを所定領域内に表示し、所定領域が画面の第３領域６００ｃ内に位置する場合、第３イメージを所定領域内に表示することができる。所定領域が第１領域６００ａと第２領域６００ｂの全体に含まれる場合には、第１イメージが第２イメージに変更される過程（図４の（ｂ）及び図５の（ｂ）参照）が所定領域内に表示され、所定領域が第２領域６００ｂと第３領域６００ｃの全体に含まれる場合には、第２イメージが第３イメージに変更される過程（図４の（ｂ）及び図５の（ｂ）参照）が所定領域内に表示されることができる。
【００４２】
図６は、画面に対して３つの領域６００ａ、６００ｂ、６００ｃが設定されるものとして図示しているが、領域の個数が多様に変更できることは当業者にとって明らかである。
【００４３】
一方、本発明の一実施形態による端末装置１１０は、第１イメージと第２イメージがユーザによって選択された場合、第１イメージがユーザによって選択されたことを示す情報と第２イメージがユーザによって選択されたことを示す情報をウェブサーバ１３０に伝送することができる。これは、第１イメージと第２イメージが広告イメージである場合、広告主に対する課金額の算定の基礎として利用するためのものである。
【００４４】
図７は、本発明の一実施形態による端末装置７００の構成を示すブロック図である。図７を参照すれば、本発明の一実施形態による端末装置７００は、ユーザ入力部７１０、通信部７３０、ディスプレイ７５０及び制御部７７０を含む。
【００４５】
まず、ユーザ入力部７１０はユーザから入力を受信する。ユーザ入力部７１０は、キーボード、マウス又はタッチスクリーンを含むことができる。ユーザは、ユーザ入力部７１０を介して、ウェブページがディスプレイに表示されるようにしたり、ウェブページをスクロールしたりすることができる。
【００４６】
通信部７３０はウェブサーバ１３０からウェブページを受信する。例えばユーザからウェブページの表示要求がある場合、通信部７３０は該ウェブページをウェブサーバ１３０から受信し、また、通信部７３０は、ウェブページに含まれた広告イメージがユーザによって選択されたことを示す情報を、ウェブサーバ１３０に伝送することもできる。
【００４７】
ディスプレイ７５０はウェブページを画面に表示する。端末装置７００に格納された所定のアプリケーションは、ウェブサーバ１３０から受信されたウェブページを実行してディスプレイ７５０の画面に表示することができる。
【００４８】
制御部７７０は、少なくとも１つのプロセッサで実現されることができ、ユーザから受信されたスクロール入力に応じてウェブページを移動させながら、ウェブページの所定領域に表示された第１イメージを第２イメージに変更する。第１イメージを第２イメージに変更する過程については前述したとおりであるので、その詳細な説明は省略する。
【００４９】
図８は、本発明の他の実施形態によるウェブページ提供方法を示すフローチャートである。
【００５０】
Ｓ８１０ステップにおいて、ウェブサーバ１３０は端末装置１１０からウェブページについての要求を受信する。ウェブサーバ１３０はウェブページを格納することができ、該ウェブページは外部の他のサーバから受信されてもよく、ウェブページ製作者によって生成されてウェブサーバ１３０に格納されていてもよい。あるいは、ウェブページは、ウェブサーバ１３０によって自動的に生成されてもよい。
【００５１】
Ｓ８２０ステップにおいて、ウェブサーバ１３０は、端末装置１１０の要求に応じてウェブページを端末装置１１０に伝送する。ウェブサーバ１３０は、ネットワークを介して接続された端末装置１１０にウェブページを伝送することができる。
【００５２】
ウェブページには、端末装置１１０の動作を制御する命令語又はスクリプトが含まれることができる。例えばウェブページは、該ウェブページが端末装置１１０の画面に表示された状態で、ウェブページに対するユーザのスクロール入力が受信されれば、スクロール入力に応じてウェブページを移動させながら、ウェブページの所定領域に表示された第１イメージを第２イメージに変更するように端末装置１１０を制御することができる。
【００５３】
また、ウェブサーバ１３０は、第１イメージがユーザによって選択されたという情報及び第２イメージがユーザによって選択されたという情報を種々の端末装置１１０から受信することができ、ウェブサーバ１３０は、第１イメージ及び第２イメージがユーザによって選択された回数に基づいて第１イメージに対応する広告主及び第２イメージに対応する広告主に対する課金額を決定することができる。
【００５４】
図９は、本発明の更に別の実施形態によるウェブサーバ９００の構成を示すブロック図である。図９を参照すれば、本発明の更に別の実施形態によるウェブサーバ９００は、制御部９１０及び通信部９３０を含み、課金部９５０を更に含むこともできる。制御部９１０、通信部９３０及び課金部９５０は１つ以上のプロセッサで構成され、メモリ（図示せず）に格納された１つ以上のプログラムの制御下で動作することができる。
【００５５】
まず、制御部９１０は通信部９３０及び課金部９５０の動作を制御する。
【００５６】
通信部９３０は、ウェブページについての端末装置１１０の要求を受信し、端末装置１１０の要求に応じてウェブページを端末装置１１０に伝送する。また、通信部９３０は、端末装置１１０から課金額を決定するための情報を受信することができる。
【００５７】
課金部９５０は、通信部９３０が受信した情報に応じて広告主に対する課金額を決定する。課金部９５０は、種々の端末装置１１０の画面に表示されたウェブページにおいて第１イメージがユーザによって選択された回数及び第２イメージがユーザによって選択された回数に基づいて、第１イメージに対応する広告主及び第２イメージに対応する広告主に対する課金額を決定することができる。
【００５８】
前述したように、ウェブサーバ９００が端末装置１１０に伝送するウェブページは端末装置１１０の動作を制御することができる。具体的には、ウェブページは、該ウェブページが端末装置１１０の画面に表示された状態で、ウェブページに対するユーザのスクロール入力が受信されると、スクロール入力に応じてウェブページを移動させながら、ウェブページの所定領域に表示された第１イメージを第２イメージに変更するように端末装置１１０を制御することができる。
【００５９】
本発明の一実施形態による端末装置及びこれによるイメージ表示方法、並びにウェブサーバ及びこれによるウェブページ提供方法は、ユーザの注意力を効果的に引くことができる方式でコンテンツをユーザに提供し、ユーザの注意力を集めることができるＵＩ（ｕｓｅｒ  ｉｎｔｅｒｆａｃｅ）を利用してユーザにコンテンツを提供することができる。また、本発明の一実施形態による端末装置及びこれによるイメージ表示方法、並びにウェブサーバ及びこれによるウェブページ提供方法は、ウェブサーバ会社の広告収益性を向上させることができる。
【００６０】
一方、上述した本発明の実施形態は、コンピュータで実行できるプログラムで作成可能であり、コンピュータ読取可能記憶媒体を用いてプログラムを動作させる汎用デジタルコンピュータにおいて実現されることができる。
【００６１】
コンピュータ読取可能記憶媒体は、磁気記憶媒体（例えばＲＯＭ、フロッピーディスク、ハードディスク等）、光学的読取可能媒体（例えばＣＤ−ＲＯＭ、ＤＶＤ等）及び搬送波（例えばインターネットを介した伝送）のような格納媒体を含む。
【００６２】
以上のように添付図面を参照して本発明の実施形態を説明したが、本発明が属する技術分野で通常の知識を有した者であれば、本発明がその技術的思想や必須の特徴を変更せずに他の具体的な形態で実施できるということを理解するはずである。したがって、以上で記述した実施形態は、全ての面で例示的なものであって、限定的なものではないことを理解しなければならない。
【図１】
0006764884.tif 000002
【図２】
0006764884.tif 000003
【図３】
0006764884.tif 000004
【図４】
0006764884.tif 000005
【図５】
0006764884.tif 000006
【図６】
0006764884.tif 000007
【図７】
0006764884.tif 000008
【図８】
0006764884.tif 000009
【図９】
0006764884.tif 000010